(57)【要約】      （修正有）【課題】鉄道用に於いてワイヤレスアンテナ装置の設置場所が細長い駅のホームや障害物のある場所でもアンテナ個別に利得設定が出来るようにし、不感エリアを解消する。【解決手段】４台のアンテナ７，１３，１９，２５にそれぞれ接続された４台の混合ブースター４，１０，１６，２２を同軸ケーブル９，１５，２１で直列接続し、最終段の混合ブースター４に同軸ケーブル２で混合分配器１に接続して、混合分配器と混合ブースターにアンテナと混合の利得制御回路を設け、混合ブースターの制御部に個別のＩＤ識別部を設け、混合分配器には混合ブースターＩＤのアンテナと混合の利得を設定送出する回路を設け、混合分配器から各アンテナ利得を設定可能にする。【選択図】図２
2008312180.tif 000002
【特許請求の範囲】
【請求項１】
混合分配器及び混合ブースターにアンテナ利得制御回路と混合利得制御回路を設け、混合ブースターの制御部に個別のＩＤ認識部を設け、１本の同軸ケーブルでアンテナを直列接続できるようにし、混合分配器には混合ブースターＩＤのアンテナ利得、混合利得を設定送出する回路を設け混合分配器から各アンテナ利得を設定可能にして障害物のある場所でも、不感エリアの無いようにした鉄道用ワイヤレスアンテナ装置。
【請求項２】
上記請求項に於いて混合ブースター内の回路上のＣＰＵは通常はクロック発振を停止しており、混合分配器からデータを受信するとＣＰＵが立ち上がり、設定データに従いアンテナ利得、混合利得を設定し、設定後、ＣＰＵはクロック発振を停止することで、実使用状態での自己高周波雑音を低減させた鉄道用ワイヤレスアンテナ装置。
【発明の詳細な説明】
【技術分野】
【０００１】  本発明は鉄道用に於いてワイヤレスアンテナ装置（以下、アンテナ装置と記入）の設置場所が障害物のある場所でもアンテナ個別に利得設定が出来るようにし、不感エリアの解消を目的としたアンテナ装置。
【背景技術】
【０００２】  図１は従来のアンテナ装置の構成を示す一例である。混合分配器から同軸ケーブルでユニットごとに混合器に接続され、アンテナに接続する。鉄道の細長いホーム全体をカバーするために通常８台程度、４ユニットのアンテナ装置を配置している。同軸ケーブルはユニット１の接続よりユニット２が長く、ユニット２の接続よりユニット３が長く、ユニットごとに同軸ケーブルの長さが長くなる。各アンテナの受信感度を補う為、混合器及び混合分配器の利得コントロール回路で設定する事ができる。【０００３】  しかし、アンテナ装置では同軸ケーブルに重畳するＤＣ電圧やＤＴＭＦ等の低周波信号で混合器及び混合分配器を同軸ケーブル単位にて利得設定するため、アンテナ個別の利得設定が出来なく不感エリアが発生してしまう。
【発明の開示】
【発明が解決しようとする課題】
【０００４】  解決をしようとする問題点は、アンテナ装置では同軸ケーブルに重畳するＤＣ電圧やＤＴＭＦ等の低周波信号で混合器及び混合分配器を同軸ケーブル単位にて利得設定するため、アンテナ個別の利得設定が出来なく不感エリアが発生してしまう。また、混合分配器から直接分配接続のために同軸ケーブルが長くなる問題がある。【０００５】  アンテナ装置の設置場所が障害物のある場所でもアンテナ個別に利得設定ができ、細長い駅のホームに於いてアンテナを直列接続でき同軸ケーブルの省線化を目的とするものである。
【課題を解決するための手段】
【０００６】  本発明はアンテナ装置の混合器にアンテナ利得制御回路と混合利得制御回路を設け各制御部に個別のＩＤ認識部を設け１本の同軸ケーブルでアンテナ装置を直列に接続できるようにした。また、混合分配器には各ＩＤのアンテナ利得、混合利得を設定送出する回路を設けて混合分配器から個別の各アンテナ利得を設定可能にして障害物のある場所でも不感エリアの無いアンテナ装置を実現できるようにしたものである。
【発明の効果】
【０００７】  本発明のアンテナ装置はアンテナを直列接続させの同一同軸ケーブル上で、各アンテナＩＤを個別に設定することができ、障害物のある場所でも適正な利得にすることが出来不感エリアが無く全エリアをカバーする事ができる。そして、アンテナを直列接続することで同軸ケーブルの省線化の利便性を図ることができるという効果がある。
【発明を実施するための最良の形態】
【０００８】  アンテナ装置の混合分配器は２系統の同軸ケーブルＡ、Ｂが接続されている。ここではＡ系統について述べる。混合分配器からの同軸ケーブルは混合ブースターＡ１のアンテナ出力端子に接続され、混合ブースターＡ１のアンテナ端子はアンテナが接続され、アンテナ入力端子から同軸ケーブルで混合ブースターＡ２のアンテナ出力端子に接続され、混合ブースターＡ２のアンテナ端子はアンテナが接続され、アンテナ入力端子から同軸ケーブルで、それぞれの混合ブースターに直列接続されている。混合分配器からＡ系統、Ｂ系統の複数の混合ブースターを２本の同軸ケーブルでワイヤレス装置の使用エリアをアンテナ装置でカバーしている。
【実施例１】
【０００９】  図１は従来のアンテナ装置の構成を示す一例であり、図２は本発明に係わる実施例の構成図である。図３は本発明に係わる混合分配器、混合ブースターの制御部の構成を示す一例。図４は本発明のデータ送信部の構成を示す。請求項１に係わる図２において、混合分配器１はＡ，Ｂの２系統のＡ同軸ケーブル２とＢ同軸ケーブル３が接続されている。以下はＡ系統について述べる。【００１０】  図２において混合分配器１はＡ同軸ケーブル２が接続され、混合ブースター４に具備されたアンテナ出力端子５に接続、アンテナ端子６にＡ１アンテナ７が接続、アンテナ入力端子８からＡ同軸ケーブル９が接続され混合ブースター１０のアンテナ出力端子１１に接続、アンテナ端子１２にＡ２アンテナ１３が接続、アンテナ入力端子１４からＡ同軸ケーブル１５が接続され混合ブースター１６のアンテナ出力端子１７に接続、アンテナ端子１８にＡ３アンテナ１９が接続し、アンテナ入力端子２０からＡ同軸ケーブル２１が接続され混合ブースター２２のアンテナ出力端子２３に接続、アンテナ端子２４にＡ４アンテナ２５が接続される。このように混合ブースターは直列に接続されている。Ｂ系統はこれと同様に接続される。【００１１】  通常の駅のホームは混合分配器からＡ系統、Ｂ系統の２本の同軸ケーブルで各４台の混合ブースターのアンテナ合計８本でワイヤレス受信装置２６の使用エリア２７をカバーすることができる。【００１２】  図３は請求項１に係わる混合分配器、混合ブースターの制御部の構成を示すものである。図３に於いて混合分配器３０の内部構成を示し、アンテナＡ端子３１は直流カットコンデンサー４４を通してＲＦアンプ３２に接続され、混合器３３を通して出力端子３４に接続された受信機にアンテナ信号を出力している。アンテナＡ端子３１はＲＦカットコイル３５を通して、ＣＰＵ３６に接続され、各ＩＤアンテナ利得設定スイッチ３７、各ＩＤアンテナ混合利得設定スイッチ３８に接続されている。また、さらにＤＣ供給回路３９に交流カットコイル４０を通して接続されている。アンテナＢ端子４１もアンテナＡ端子３１と同じくアンテナ信号はＲＦアンプ４２の制御系はＣＰＵ４３に、直流供給系はＤＣ供給回路４３に接続されている。【００１３】  混合ブースター５０は内部構成を示し、アンテナ入力端子５１には同軸ケーブル５２によりＡ１アンテナ７が接続され、アンテナ７にワイヤレスマイク２６からの信号を受信し、ＲＦアンプ５４で増幅し混合器５５に接続、アンテナ出力端子５６に接続されている。アンテナ出力端子５６にはＲＦカットコイル５７を通してＣＰＵ５８、さらに交流カットコイル５９を通してＤＣ供給回路６０に接続され、さらに、次段の混合ブースター６１に直流電源と制御信号を伝送するためＲＦカットコイル５７により混合入力端子６２に接続されている。混合入力端子６２には直流カットコンデンサー６３を通してＲＦアンプ６４、利得コントロール回路６５に接続され、ＲＦアンプ６４の出力は混合器５５に接続され、アンテナ信号と混合され、アンテナＡ端子３１から同軸ケーブル４５で接続、アンテナ出力端子５６に出力している。【００１４】  次段の混合ブースター６１で同軸ケーブル６６によってアンテナ出力端子６７と前段の混合入力端子６２に接続されている。次段の混合ブースター６１のアンテナ端子６８に接続されたＡ２アンテナ１３である。【００１５】  次に上記実施例の動作について述べる。図２のＡ４アンテナ２５とＡ３アンテナ１９のアンテナ設置場所付近の電波的障害物の影響が大きくアンテナのみの利得を増加させたい場合はあらかじめ、Ａ１アンテナ７をＩＤ：１，Ａ２アンテナ１３をＩＤ：２、Ａ３アンテナ１９をＩＤ：３、Ａ４アンテナ２５をＩＤ：４に設定しておき、図３の混合分配器３０のＩＤアンテナ利得設定スイッチ３７のなかのＩＤ３，４の利得設定を「Ｈ」にすることにより、Ａ４アンテナ２５とＡ３アンテナ１９のみに利得を上げることができる。また、図２に於いて混合ブースター間の同軸ケーブル９，２１のみが長く、同軸ロスが大きい場合は図３のＩＤアンテナ混合利得設定スイッチ３８のＩＤ１，３のみを利得「Ｈ」にすることにより、同軸ロスによるアンテナ信号の減衰を抑える設定ができる。【００１６】  このように、上記の実施例によれば、鉄道用ワイヤレス装置の使用場所のように細長い受信エリアを多数のアンテナで受信する場合に、各アンテナの個々の設置条件や同軸ケーブルの長さによるロス条件が個別に変化する場合でも混合分配器から個々のアンテナ利得、混合利得を細かく設定できるため、ワイヤレス受信装置の全エリアを均一に受信カバーすることができる利点を有する。また、８ユニットのアンテナ装置を２系統の同軸ケーブルで接続することにより省線化できる。【００１７】  個々のアンテナ装置のアンテナ利得設定、混合利得設定状態をＬＥＤ等により外部から見えるように表示することにより、アンテナ装置の動作状態、同軸ケーブルの接続状態を確認することによりアンテナ装置設置後の経年変化など等のアンテナ装置の動作状態が混合分配器のスイッチ設定により確認できるというメンテナンス性向上の効果を有する。【００１８】  図４に於いて混合分配器３０はデータ送信部であり、アンテナＡ端子３１はデータアンプ７０にＲＦカットコイル３５が接続され、ＣＰＵ３６に接続されている。混合ブースター５０はデータ受信部であり、アンテナ出力端子７３は同軸ケーブル２で混合分配器３０のアンテナＡ端子３１に接続されている。キャリア検出部７１はＲＦカットコイル７２でアンテナ出力端子７３に接続、波形成形部７４、ＣＰＵ５８に接続。【００１９】  図４のデータ送信部の動作について述べる。混合分配器３０から混合ブースター５０の利得を制御する場合はＩＤアンテナ利得設定スイッチ３７を設定した後、データ送出スイッチ７５をＯＮにする。各設定に合った設定信号を２０ＫＨｚ程度、３００ｂｐｓ程度で同軸ケーブル２にＤＣを重畳させ混合ブースター５０に送出する。【００２０】  請求項２に係わる図４の混合ブースター５０は通常の状態ではＣＰＵ５８のクロック発振を停止している。混合分配器３０からプリアンブルデータを混合ブースター５０が受信するとＣＰＵ５８が立ち上がり設定データに従ってアンテナ利得、混合利得を設定する。各利得設定後ＣＰＵ５８はクロック発振を停止する。【００２１】  このように、上記実施例によれば通常はＣＰＵクロック発振を停止し、混合分配器３０からの制御信号受���時のみ、ＣＰＵクロック発振するため微弱な受信信号を嫌うＲＦアンプでは不要な輻射の影響を受けないという利点を有する。
【産業上の利用可能性】
【００２２】  駅の長いホームでカーブしているような場合においても、アンテナ装置の設置場所が障害物のある場所でも、アンテナ個別に利得設定ができることで不感エリアの無い鉄道用アンテナワイヤレスアンテナ装置を提供でき、そして、アンテナ装置を直列接続できたことで同軸ケーブルの省線化に役立つ事ができる。
【図面の簡単な説明】
【００２３】
【図１】従来のアンテナ装置の構成を示す一例
【図２】本発明に係わる実施例の構成図
【図３】本発明に係わる混合分配器、混合ブースターの制御部の構成図
【図４】本発明のデータ送信部の構成図
【符号の説明】
【００２４】１    混合分配器                  ２７  使用エリア
２    Ａ同軸ケーブル
４    混合ブースター              ３０  混合分配器
５    アンテナ出力端子            ３１  アンテナＡ端子
６    アンテナ端子                ３２  ＲＦアンプ
７    Ａ１アンテナ                ３３  混合器
８    アンテナ入力端子            ３４  出力端子
９    Ａ同軸ケーブル              ３５  ＲＦカットコイル
１０  混合ブースター              ３６  ＣＰＵ
１１  アンテナ出力端子            ３７  ＩＤアンテナ利得設定スイッチ
１２  アンテナ端子                ３８  ＩＤアンテナ混合利得設定スイッチ
１３  Ａ２アンテナ                ３９  ＤＣ供給回路
１４  アンテナ入力端子            ４０  交流カットコイル
１５  Ａ同軸ケーブル              ４１  アンテナＢ端子
１６  混合ブースター
１７  アンテナ出力端子
１８  アンテナ端子                ４４  直流カットコンデンサー
１９  Ａ３アンテナ
２０  アンテナ入力端子
２１  Ａ同軸ケーブル
２２  混合ブースター              ５０  混合ブースター
２３  アンテナ出力端子            ５１  アンテナ入力端子
２４  アンテナ端子                ５２  同軸ケーブル
２５  Ａ４アンテナ                ５４  ＲＦアンプ
２６  ワイヤレス受信装置          ５５  混合器
５６  アンテナ出力端子            ７０  データアンプ
５７  ＲＦカットコイル            ７１  キャリア検出部
５８  ＣＰＵ                      ７２  ＲＦカットコイル
５９  交流カットコイル            ７３  アンテナ出力端子
６０  ＤＣ供給回路                ７４  波形成形部
６１  混合ブースター              ７５  データ送出スイッチ
６２  混合入力端子
６３  直流カットコンデンサー
６４  ＲＦアンプ
６５  利得コントロール回路
６６  同軸ケーブル
６７  アンテナ出力端子
６８  アンテナ端子
【図１】
2008312180.tif 000003
【図２】
2008312180.tif 000004
【図３】
2008312180.tif 000005
【図４】
2008312180.tif 000006